【事件の表示】
　平成１１年特許願第　１３７９６号「マルチアクセス伝送装置及びマルチアクセス伝送方法」拒絶査定不服審判事件〔平成１２年　８月　４日出願公開、特開２０００−２１６８０２〕について、次のとおり審決する。
【結　論】
　本件審判の請求は、成り立たない。
【理　由】
１．手続の経緯、本願発明
　
　本願は、平成１１年１月２２日の出願であって、請求項１に係る発明（以下、「本願発明」という。）は、平成１６年４月３０日付けの手続補正により補正された明細書及び図面の記載からみて、その特許請求の範囲の請求項１に記載された次の事項により特定されるものと認める。
　
　「同期ディジタルハイアラーキパスに対してマルチアクセスを行うマルチアクセス伝送装置において、
　前記同期ディジタルハイアラーキパス内においてパケット又はセルを多重させることにより、一つの同期ディジタルハイアラーキパスを複数の通信で共有させ、
　前記ディジタルハイアラーキパスを終端させることなく、前記パケット又はセルを抽出して、該パケット又はセルに対して選択的にアッド又はドロップを行うことを特徴とするマルチアクセス伝送装置。」
　
２．刊行物記載の発明
　
　これに対して、当審における拒絶の理由で引用された、本願出願前に頒布された特開平０９−０９３２５４号公報（平成９年４月４日出願公開。以下、「刊行物」という。）には、次のような記載がある。
　
イ）「【０００１】
【発明の属する技術分野】本発明は、同期ネットワークに適用されるアド・ドロップ多重化（ＡＤＭ：Add/Drop Mutiplexer）装置に関する。
【０００２】
【従来の技術】最近では、ＳＯＮＥＴ（Synchronous Optical Network）やＳＤＨ（Synchronous Digital Hierarchy）の標準化に従い、光伝送装置の同期網化が進められている。また、大規模なネットワークを構築する際に、サービスの継続性や回線設定の柔軟性が要求されている。
【０００３】さらに、加入者のデータ・サービスについても、固定長のＡＴＭセルへ変換した上で、ＳＯＮＥＴ網で伝送するようになってきている。また、最近では、従来の基幹系のサービス以外のデータサービスを取り込み、ＳＯＮＥＴ信号にマッピングすることにより、ローカルエリア及びワイドエリアへ伝送することができる光伝送装置が要求されるようになってきている。」（３欄１０〜２７行）
　
ロ）「【０００６】
【発明が解決しようとする課題】そこで、本発明は、上記問題点に鑑みてなされたものであり、既存のサービス（ＤＳ１，ＤＳ３，ＳＴＳ−１等）に加えて、ＬＡＮ等のローカルエリアネットワークをサポートする固定長セルに対応できるアド・ドロップ多重化装置を提供し、柔軟性のあるサービスを実現することを第一の課題とする。」（３欄４２〜４９行）
　
ハ）「【０００９】このとき、ＤＳ３レベルの信号やＳＴＳレベルの信号は、クロスコネクト部にて取り出し（DROP；ドロップ）、素通り（THROUGH；スルー）、あるいは挿入（ADD；アド）を行うが、固定長セルをマッピングした電気信号は、クロスコネクト部をスルーさせ、トリビュータリインタフェース部にてドロップ、スルー、あるいはアドの処理を行うようにしている。このため、トリビュータリインタフェース部には、下位の通信網が固定長セルの通信に使用している仮想チャネル（ＶＣ）を登録したＶＣテーブルを有し、このＶＣテーブルを参照して受信した固定長セルのドロップあるいはスルーを行うようにしている。つまり、トリビュータリインタフェース部は、ＶＣテーブルと、クロスコネクト部から出力された信号を固定長セルに変換する信号終端部と、信号終端部から出力された固定長セルのヘッダ部分から仮想チャネル識別子を読み出し、この仮想チャネル識別子と前記ＶＣテーブルに登録されている仮想チャネルと照合し、双方の仮想チャネルが一致すれば、固定長セルに、行き先として下位の通信網を示すルーティングタグを付加するルーティングタグ組立部と、ルーティングタグ組立部から出力された固定長セルのルーティングタグを参照して、行き先が下位の通信網であるか否かを判別し、下位の通信網を行き先とするルーティングタグが付加されている場合には、前記固定長セルを下位の通信網へ転送し、前記行き先が下位の通信網ではない場合に、前記固定長セルを前記ルーティングタグ組立部へ返送する（スルーさせる）ルーティングデバイスと、ルーティングデバイスから前記下位の通信網へ送信されるべき固定長セルからルーティングタグを取り除くルーティングタグ分解部とから構成するようにしている。
【００１０】そして、ルーティングタグ組立部は、ルーティングデバイスから固定長セルが返送されてきた場合には、この固定長セルからルーティングタグを取り除き、前記クロスコネクト部へ返送する。」（４欄２６行〜５欄９行）
　
ニ）「【００２２】ここで、ＳＯＮＥＴ−ＡＤＭ装置Ａ（１）の内部構成について図２に沿って説明する。ＳＯＮＥＴ−ＡＤＭ装置Ａ（１）は、クロスコネクト部９と、このクロスコネクト部９と光ファイバとの接続部分にラインインタフェース３、５を備えている。同図では、クロスコネクト部９の現用系光ファイバの入力部（予備系光ファイバの出力部）にラインインタフェース部５を備えると共に、現用系光ファイバの出力部（予備系光ファイバ）の出力部にラインインタフェース部１０を備えている。ここで、ラインインタフェース部５、１０とクロスコネクト部９とは、ＳＴＳ−１レベルの信号回線で接続されているものとする。
【００２３】各ラインインタフェース部５、１０は、現用系光ファイバ及び予備系光ファイバから受信したＯＣ−３信号をＳＴＳ−１信号に変換してクロスコネクト部９へ入力させる。また、ラインインタフェース部５、１０は、クロスコネクト部９から出力されたＳＴＳ−１信号をＯＣ−３信号に変換して光ファイバへ送出する。
【００２４】さらに、ＳＯＮＥＴ−ＡＤＭ装置Ａ（１）は、クロスコネクト部９とＤＳ３回線との接続部分には、ＤＳ３用トリビュータリインタフェース部７が設けられている。また、クロスコネクト部９とＳＴＳ−１回線との接続部分にはＳＴＳ−１用トリビュータリインタフェース部６が設けられ、クロスコネクト部９とＬＡＮとの接続部分にはＬＡＮ用トリビュータリインタフェース部８が設けられている。
【００２５】このトリビュータリインタフェース部６〜８は、ラインインタフェース部５、１０から取り込まれた多重化信号から所定のタイムスロットを選択し、選択したタイムスロットに格納されている信号を取り出し、各々の通信プロトコルに応じた信号形式へ変換するものである。また、トリビュータリインタフェース部６〜８は、ＤＳ−３，ＳＴＳ−１，ＬＡＮ信号をＳＴＳ−１信号へ変換して多重化信号の所定のタイムスロットに書き込む。」（７欄８〜４２行）
　
ホ）「【００５０】例えば、ＳＯＮＥＴ−ＡＤＭ装置Ａ（１）とＳＯＮＥＴ−ＡＤＭ装置Ｃ（３）がチャネル“２００”を使用して通信を行い、ＳＯＮＥＴ−ＡＤＭ装置Ｂ（２）とＳＯＮＥＴ−ＡＤＭ装置Ｄ（４）がチャネル“１００”を使用して通信を行う場合には、図９に示すように、ＳＯＮＥＴ−ＡＤＭ装置Ａ（１）のＶＣテーブルには、チャネル“２００”の行き先情報領域にＳＯＮＥＴ−ＡＤＭ装置Ｃ（３）のＴＩＤ“Ｃ”が登録され、パススルー識別情報領域には“ＮＯ”が登録される。これに対応してＳＯＮＥＴ−ＡＤＭ装置Ｃ（３）のＶＣテーブルには、チャネル“２００”の行き先情報領域にはＳＯＮＥＴ−ＡＤＭ装置Ａ（１）のＴＩＤ“Ａ”が登録され、パススルー識別情報領域には“ＮＯ”が登録される。また、ＳＯＮＥＴ−ＡＤＭ装置Ｂ（２）のＶＣテーブルには、チャネル“１００”の行き先情報領域にＳＯＮＥＴ−ＡＤＭ装置Ｄ（４）のＴＩＤ“Ｄ”が登録され、パススルー識別情報領域には“ＮＯ”が登録される。これに対応して、ＳＯＮＥＴ−ＡＤＭ装置Ｄ（４）のＶＣテーブルには、チャネル“１００”の行き先情報領域にＳＯＮＥＴ−ＡＤＭ装置Ｂ（２）のＴＩＤ“Ｂ”が登録され、パススルー識別情報領域には“ＮＯ”が登録される。」（１５欄１４〜３５行）
　
ヘ）「【００５３】ＳＯＮＥＴ−ＡＤＭ装置は、現用系光ファイバ及び予備系光ファイバから信号を受信すると、ラインインタフェース部５、１０においてＳＴＳ−１レベルの信号に変換してクロスコネクト部９へ入力する。
【００５４】クロスコネクト部９は、ＬＡＮを宛先とする信号を入力すると、この信号を乱用トリビュータリインタフェース部８へ入力させる。ＬＡＮ用トリビュータリ部８は、現用系側のＳＴＳ終端部８ｆと予備系側のＳＴＳ終端部８ｆとがクロスコネクト部９から出力されたＳＴＳ−１信号を受信し、ＳＴＳ−１信号にマッピングされているＡＴＭセルを取り出し、ルーティングタグ組立／分解部８ｅへ通知する。
【００５５】まず、現用系側のルーティングタグ組立／分解部８ｅは、ＡＴＭセルのヘッダからＶＣＩを検出し、使用チャネルを判別する。そして、ルーティングタグ組立／分解部８ｅは、検出したチャネルをキーワードにＶＣテーブル１６０を検索し、パススルー識別情報を参照する。ここで、パススルー識別情報に“ＹＥＳ”が登録されている場合には、現用系側のルーティングタグ組立／分解部８ｅを行き先とするルーティングタグを組み立て、ＡＴＭセルに付加する。一方、ＶＣテーブル１６０のパススルー識別情報に“ＮＯ”が登録されている場合には、宛先のＬＡＮを指定するルーティングタグを組み立て、ＡＴＭセルに付加する。」（１６欄４２行〜１７欄１５行）
　
ト）「【００５８】次に、ＡＴＭルーティングデバイス８ｄは、２つのルーティングタグ組立／分解部８ｅからＡＴＭセルを入力すると、各ＡＴＭセルのルーティングタグを参照し、転送ルートを切り換える。具体的には、ルーティングタグに現用系側ルーティングタグ組立／分解部８ｅを行き先とする情報、あるいは予備系側ルーティングタグ組立／分解部８ｅを行き先とする情報が登録されている場合には、ＡＴＭルーティングデバイス８ｄは、入力したＡＴＭセルを折り返し、現用系側ルーティングタグ組立／分解部８ｅあるいは予備系側ルーティング組立／分解部８ｅへ転送する。そして、ルーティングタグ組立／分解部８ｅは、ＡＴＭセルからルーティングタグを取り除き、ＳＴＳ終端部８ｆへ入力させる。ＳＴＳ終端部８ｆは、ルーティングタグ組立／分解部８ｅから入力したＡＴＭセルをＳＴＳ−１信号にマッピングしてクロスコネクト部９へ入力させる。これにより、ＡＴＭ信号のスルーを行うことができる。
【００５９】また、ＡＴＭルーティングデバイス８ｄは、入力したＡＴＭセルのルーティングタグに、宛先のＬＡＮが登録されている場合には、そのＡＴＭセルをルーティングタグ組立／分解部８ｃへ転送する。これにより、ＡＴＭセルのドロップを行うことができる。
【００６０】さらに、ＡＴＭルーティングデバイス８ｄは、入力したＡＴＭセルのルーティングタグに、廃棄するための情報が登録されている場合には、そのＡＴＭセルを廃棄する。
【００６１】また、ＡＴＭルーティングデバイス８ｄは、入力したＡＴＭセルのルーティングタグに、ＯＥＭセル組立／分解部８ｇを行き先とする情報が登録されている場合には、そのＡＴＭセルをＯＥＭセル組立／分解部８ｇへ転送する。
【００６２】ＡＴＭルーティングデバイス８ｄがＡＴＭセルをドロップさせた場合には、ルーティングタグ組立／分解部８ｃは、ＡＴＭルーティングデバイス８ｄから入力したＡＴＭセルからルーティングタグを取り除き、ＡＴＭセル組立／分解部８ｂへ入力させる。
【００６３】ＡＴＭセル組立／分解部８ｂは、ルーティングタグ組立／分解部８ｃからＡＴＭセルを入力すると、このＡＴＭセルを分解し、宛先となるＬＡＮ対応の信号形式へ復元する。そして、ＡＴＭセル組立／分解部８ｂは、復元した信号を宛先となるＬＡＮのＬＡＮ終端部８ａへ転送する。」（１７欄３３行〜１８欄２４行）
　
チ）図９には、一つのＷｏｒｋｉｎｇ　ＳＴＳ−１に複数の地点にあるＳＯＮＥＴ−ＡＤＭ装置Ａ（１）〜ＳＯＮＥＴ−ＡＤＭ装置Ｄ（４）が接続されていることが示されている。
　
　これらの記載によれば、刊行物には、次の発明（以下、「刊行物記載の発明」という。）が記載されているものと認められる。
　
　「ＳＯＮＥＴのＳＴＳ−１信号（図９の「Ｗｏｒｋｉｎｇ　ＳＴＳ−１」）にＡＴＭセルをマッピングさせることにより、一つのＳＴＳ−１信号でＳＯＮＥＴ−ＡＤＭ装置Ａ（１）とＳＯＮＥＴ−ＡＤＭ装置Ｃ（３）がチャネル“２００”を使用して通信を行い、ＳＯＮＥＴ−ＡＤＭ装置Ｂ（２）とＳＯＮＥＴ−ＡＤＭ装置Ｄ（４）がチャネル“１００”を使用して通信を行い、既存のサービス（ＤＳ１，ＤＳ３，ＳＴＳ−１等）に加えて、ＬＡＮ等のローカルエリアネットワークをサポートする固定長セルに対応できるＳＯＮＥＴ−ＡＤＭ装置において、
　現用系光ファイバから受信したＯＣ−３信号をＳＴＳ−１信号に変換してクロスコネクト部９へ入力させるラインインタフェース部５と、
　ＳＴＳレベルの信号については、取り出し（DROP；ドロップ）、素通り（THROUGH；スルー）、あるいは挿入（ADD；アド）を行うが、ＡＴＭセルをマッピングしたＳＴＳ−１信号については、スルーさせるクロスコネクト部９と、
　ＡＴＭセルをマッピングしたＳＴＳ−１信号から所定のタイムスロットを選択し、選択したタイムスロットに格納されている信号を取り出し、ＡＴＭセルのドロップ、スルー、あるいはアドの処理を行うＬＡＮトリビュータリインタフェース部８とを備え
　ＬＡＮトリビュータリインタフェース部８は、
　現用系側のルーティングタグ組立／分解部８ｅで、ＳＴＳ−１信号にマッピングされているＡＴＭセルを取り出し、ＡＴＭセルのヘッダからＶＣＩを検出し、検出したチャネルをキーワードにＶＣテーブル１６０を検索し、パススルー識別情報に“ＹＥＳ”が登録されている場合には、現用系側のルーティングタグ組立／分解部８ｅを行き先とするルーティングタグを組み立て、ＡＴＭセルに付加し、ＶＣテーブル１６０のパススルー識別情報に“ＮＯ”が登録されている場合には、宛先のＬＡＮを指定するルーティングタグを組み立て、ＡＴＭセルに付加し、
　ＡＴＭルーティングデバイス８ｄで、ルーティングタグに現用系側ルーティングタグ組立／分解部８ｅを行き先とする情報が登録されている場合には、入力したＡＴＭセルを折り返し、ＡＴＭ信号のスルーを行い、入力したＡＴＭセルのルーティングタグに、宛先のＬＡＮが登録されている場合には、そのＡＴＭセルをルーティングタグ組立／分解部８ｃへ転送することにより、ＡＴＭセルのドロップを行うＳＯＮＥＴ−ＡＤＭ装置。」
　
３．本願発明と刊行物記載の発明との比較
　
　刊行物記載の発明の「ＡＴＭセル」は、それぞれ本願発明の「パケット又はセル」に相当している。
　また、本願明細書には、本願発明の「同期ディジタルハイアラーキパス」や「マルチアクセス伝送装置」について、
　「【００３３】これに対して、専用線（ｘ）ＳＤＨパス１０は本発明に従って形成された専用線である。従って、専用線（ｘ）ＳＤＨパス１０の中間点であるＤ又はＥにおいても専用線（ｘ）ＳＤＨパス１０にアクセスすることができる。換言すれば、本発明によれば、一つのＳＤＨパスに複数の地点でアクセスすること、すなわち、マルチアクセス（Ｍｕｌｔｉｐｏｉｎｔ−ｔｏ−Ｍｕｌｔｉｐｏｉｎｔ）することができるようになる。すなわち、一つのＳＤＨパスを複数の通信で共有することが可能になる。以下、この専用線（ｘ）ＳＤＨパス１０を共有化（Ｓｈａｒｅｄ）ＳＤＨパスと呼ぶことにする。」
と記載されている。
　一方、刊行物記載の発明の「ＳＯＮＥＴ」が「ＳＤＨ」の米国での名称で、ＳＴＳ−１がSynchronous Transport Signal Level 1のことであるから、刊行物記載の発明の「ＳＯＮＥＴのＳＴＳ−１信号（図９の「Ｗｏｒｋｉｎｇ　ＳＴＳ−１」）は本願発明の「同期ディジタルハイアラーキパス」に相当している。
　また、刊行物記載の発明のＳＯＮＥＴ−ＡＤＭ装置において、ＳＴＳ−１信号にＡＴＭセルをマッピングさせることにより、一つのＳＴＳ−１信号でＳＯＮＥＴ−ＡＤＭ装置Ａ（１）とＳＯＮＥＴ−ＡＤＭ装置Ｃ（３）がチャネル“２００”を使用して通信を行い、ＳＯＮＥＴ−ＡＤＭ装置Ｂ（２）とＳＯＮＥＴ−ＡＤＭ装置Ｄ（４）がチャネル“１００”を使用して通信を行っているから、一つのＳＴＳ−１信号に複数の通信のＡＴＭセルを多重させ、複数の通信で共有するという意味のマルチアクセスを行っていることは、明らかである。
　つまり、刊行物記載の発明の「ＳＴＳ−１信号（図９の「Ｗｏｒｋｉｎｇ　ＳＴＳ−１」）にＡＴＭセルをマッピングさせること」、「ＳＯＮＥＴ−ＡＤＭ装置」は、それぞれ本願発明の「同期ディジタルハイアラーキパス内においてパケット又はセルを多重させること」、「マルチアクセス伝送装置」に相当しているから、本願発明と刊行物記載の発明とは、以下の点で一致ないし相違する。
　
（１）一致点
　
　同期ディジタルハイアラーキパスに対してマルチアクセスを行うマルチアクセス伝送装置において、
　前記同期ディジタルハイアラーキパス内においてパケット又はセルを多重させることにより、一つの同期ディジタルハイアラーキパスを複数の通信で共有させる点。
　
（２）相違点
　
　本願発明では、ディジタルハイアラーキパスを終端させることなく、前記パケット又はセルを抽出して、該パケット又はセルに対して選択的にアッド又はドロップを行うのに対して、刊行物記載の発明では、パケット又はセルを抽出して、該パケット又はセルに対してアッド又はドロップを行うが、ディジタルハイアラーキパスを終端させることなく選択的にアッド又はドロップを行うことについて明らかでない点。
　
４．相違点の検討
　
　本願発明の「ディジタルハイアラーキパスを終端させることなく、パケット又はセルを抽出して、該パケット又はセルに対して選択的にアッド又はドロップを行う」という相違点について、請求人は平成１６年４月３０日付け意見書において、出願当初の明細書の段落［００４２］〜［００５３］に記載があり、新規事項を追加するものではありませんと主張しているので、これらの記載を参酌して、この相違点の技術的意味を明らかにする。
　出願当初の明細書の段落［００４２］〜［００５３］には、次のように記載されている。
　
　「【００４２】図３は本実施形態に係るマルチアクセス伝送装置の具体的な構造の一例を示すブロック図である。図３は片側の伝送路だけについて描かれている。
【００４３】図３に示すマルチアクセス伝送装置は、ＳＤＨパス抽出部３０と、ドロップパケット抽出部３１と、追加バケット挿入部３２と、ＳＤＨ信号送出部３３と、からなっている。
【００４４】ＳＤＨパス抽出部３０は、Ａ点から挿入された光信号を電気信号に変換し、ＳＤＨパスを抽出する機能を有している。ＳＤＨパス抽出部３０は、光信号をＶＴ１．５レベルまで分解し、さらに、必要なタイムスロット（Ｔｉｍｅｓｌｏｔ）を選び出す。
【００４５】ドロップパケット抽出部３１は、Ａ点から挿入された全てのパケットを認識して、Ｂ点でドロップすべきパケットを選び出す機能を有している。
【００４６】追加パケット挿入部３２は、ドロップパケット抽出部３１から送られてくるパケットと、Ｂ点から新たに挿入されるパケットとの双方をパケットレベルで多重する機能を有している。
【００４７】ＳＤＨ信号送出部３３は、追加パケット挿入部３２から送られる信号を、ＳＤＨフレームフォーマットに従って、ＶＴ１．５レベルで該当するタイムスロットに挿入する機能を有している。ＳＤＨ信号送出部３３は、その後、この電気信号を光信号に変換し、Ｃ点に出力する。
【００４８】図３に示したマルチアクセス伝送装置は以下のように作動する。
【００４９】Ａ点から挿入された信号はＳＤＨパス抽出部３０に送られ、ＳＤＨフレーム内の該当するタイムスロットが選び出される。本マルチアクセス伝送装置の場合はＶＴ１．５パスのレベルで抽出される。
【００５０】次に、抽出されたＶＴ１．５パスの中に格納されている全てのパケットを認識し、Ｂ点でドロップすべきパケットをドロップパケット抽出部３１で識別する。識別されたドロップすべきパケットは、Ｂ点においてドロップが実行され、それ以外のＣ点に向けたパケットは追加パケット挿入部３２にそのまま送られる。
【００５１】一方、Ｂ点からＣ点に送られるために新たに挿入されたパケットは追加パケット挿入部３２に送られ、Ａ点から送られてきたパケットと組み合わされ、パケット多重が行われる。
【００５２】その後、ＳＤＨ信号送出部３３において、該当するタイムスロットに対して挿入が行われ、ＳＤＨフレームを再構成した後、Ｃ点に伝送される。
【００５３】これらの処理により、このＶＴ１．５のＳＤＨパスは、Ａ、Ｂ、Ｃ点の３点においてマルチアクセスすることが可能となり、Ａ−Ｂ間、Ａ−Ｃ間、Ｂ−Ｃ間の通信を全て収容する共有化ＳＤＨパスになる。」
　
　本実施形態に係るマルチアクセス伝送装置に関する以上の記載を総合すると、本実施形態に係るマルチアクセス伝送装置は、光信号をＶＴ１．５レベルまで分解し、さらに、必要なタイムスロット（Ｔｉｍｅｓｌｏｔ）を選び出す機能を有するＳＤＨパス抽出部３０と、抽出されたＶＴ１．５パスの中に格納されている全てのパケットを認識し、Ｂ点でドロップすべきパケットを、Ｂ点においてドロップし、それ以外のＣ点に向けたパケットは追加パケット挿入部３２にそのまま送る機能を有するドロップパケット抽出部３１と、ドロップパケット抽出部３１から送られてくるパケットと、挿入されるパケットとの双方をパケットレベルで多重する機能を有する追加パケット挿入部３２と、追加パケット挿入部３２から送られる信号を、ＳＤＨフレームフォーマットに従って、ＶＴ１．５レベルで該当するタイムスロットに挿入し、光信号に変換し、Ｃ点に出力するＳＤＨ信号送出部３３とから構成されているマルチアクセス伝送装置である。
　そして、上記相違点のうちの「ディジタルハイアラーキパスを終端させることなく」については、請求人が記載があると主張している出願当初の明細書の段落［００４２］〜［００５３］中に説明はないが、スルーされるディジタルハイアラーキパスを終端させる必要がないことが技術常識であることから判断して、本実施形態に係るマルチアクセス伝送装置において、選び出されたタイムスロット以外のタイムスロットに対応するディジタルハイアラーキパスをスルーさせることを意味していることは明らかである。
　一方、刊行物記載の発明において、ＡＴＭセルをマッピングしたＳＴＳ−１信号についてはスルーさせ、そのＳＴＳ−１信号の選択された所定のタイムスロットについてＡＴＭセルのドロップ、スルー、あるいはアドの処理を行っているので、その選択された所定のタイムスロット以外のタイムスロットに対応するディジタルハイアラーキパスがスルーされることは明らかである。
　つまり、上記相違点のうちの「ディジタルハイアラーキパスを終端させることなく、前記パケット又はセルを抽出して、該パケット又はセルに対してアッド又はドロップを行う」点で、本願発明と刊行物記載の発明とは一致している。
　次に、上記相違点のうちの「該パケット又はセルに対して選択的にアッド又はドロップを行う」点について検討する。
　本実施形態に係るマルチアクセス伝送装置において、ドロップの処理は、「抽出されたＶＴ１．５パスの中に格納されている全てのパケットを認識し、Ｂ点でドロップすべきパケットを、Ｂ点においてドロップし、それ以外のＣ点に向けたパケットは追加パケット挿入部３２にそのまま送る機能を有するドロップパケット抽出部３１」によって行われ、アッドの処理は、「ドロップパケット抽出部３１から送られてくるパケットと、挿入されるパケットとの双方をパケットレベルで多重する機能を有する追加パケット挿入部３２」によって行われているので、本願発明の「該パケット又はセルに対して選択的にアッド又はドロップを行う」とは「抽出された全てのパケットを認識し、ドロップすべきパケットをドロップし、ドロップすべきパケット以外のパケットと挿入されるパケットとの双方をパケットレベルで多重する」ことを意味している認められる。
　一方、刊行物記載の発明におけるＡＴＭセルのドロップの処理が、ＳＴＳ−１信号にマッピングされているＡＴＭセルを取り出し、ＡＴＭセルのヘッダからＶＣＩを検出し、検出したチャネルをキーワードにＶＣテーブル１６０を検索し、パススルー識別情報に“ＹＥＳ”が登録されている場合に行われており、ＡＴＭセルがパケットの一種であることは技術常識であるから、刊行物記載の発明も本願発明と同様に抽出された全てのパケットを認識し、ドロップすべきパケットをドロップすることは明らかであるが、刊行物記載の発明におけるＡＴＭセルのアッドの処理が本願発明と同様にドロップすべきパケット以外のパケットと挿入されるパケットとの双方をパケットレベルで多重するものか否か明らかでない。
　しかし、パケットのアッドやドロップの処理をパケットレベルでの多重や分離により行うことは技術常識であるから、刊行物記載の発明におけるＡＴＭセルのアッドの処理として、ドロップすべきパケット以外のパケットと挿入されるパケットとの双方をパケットレベルで多重することは当業者が適宜なし得る設計事項にすぎない。
　そうすると、上記相違点全体としても、刊行物記載の発明に基づいて、当業者が適宜なし得る設計事項の範囲にすぎない。
　
　
５．むすび
　
　したがって、本願発明は、刊行物記載の発明に基づいて当業者が容易に発明をすることができたものと認められるから特許法第２９条第２項の規定によって特許を受けることができない。
　よって、結論のとおり審決する。